(57)【要約】【課題】スタッドボルトを介して剛体上に締結固定されるマンコンベヤの外装受けデッキであって、締結固定時の変形を抑制することができるものを提供する。【解決手段】マンコンベヤの欄干パネル２と建屋の壁３との間において固定された欄干柱４の上方にマンコンベヤの進行方向に連続するように配置される外装受けデッキ本体７を備えている。その下面にはスタッドボルト８が垂直に固定され、欄干柱４に設けられた貫通孔１０を貫通している。外装受けデッキ本体７と欄干柱４の間には板状の凹み防止部材９が介在し、この凹み防止部材９は、スタッドボルト８を貫通させる貫通孔９ａを有すると共にその直径が欄干柱４の貫通孔１０の直径よりも小さくなっている。【選択図】      図１
2004352385.tif 000002
【特許請求の範囲】
【請求項１】
マンコンベヤの欄干パネルと建屋の壁との間において固定された剛体の上方にマンコンベヤの進行方向に連続するように配置される外装受けデッキ本体と、
前記外装受けデッキ本体の下面に固定され、前記剛体に設けられた貫通孔又は切欠を貫通するスタッドボルトと、
前記外装受けデッキ本体と前記剛体との間に介在し、前記スタッドボルトを貫通させる貫通孔又は切欠を有すると共に該貫通孔又は該切欠の周縁が前記剛体の貫通孔又は切欠の周縁よりも内側に位置するように形成された板状の凹み防止部材と、
を具備することを特徴とするマンコンベヤの外装受けデッキ。
【請求項２】
前記凹み防止部材の貫通孔が前記スタッドボルトに螺合するように形成されたことを特徴とする請求項１記載のマンコンベヤの外装受けデッキ。
【請求項３】
マンコンベヤの欄干パネルと建屋の壁との間において固定された剛体の上方にマンコンベヤの進行方向に連続するように配置される外装受けデッキ本体と、
前記外装受けデッキ本体と前記剛体との間に介在し、前記剛体に設けられた貫通孔又は切欠を貫通するスタッドボルトが下面に固定されると共に前記貫通孔又は前記切欠を覆う板状の凹み防止部材と、
を具備することを特徴とするマンコンベヤの外装受けデッキ。
【発明の詳細な説明】
【０００１】
【発明の属する技術分野】
本発明は、エスカレータや動く歩道等のマンコンベヤの外装受けデッキに関する。
【０００２】
【従来の技術】
図４は従来の外装受けデッキを備えたエスカレータの要部断面図である。外装受けデッキ１０１は、欄干パネル１０２と建屋の壁１０３との間において固定された欄干柱１０４の上方にエスカレータの進行方向に連続するように配置される板状の外装受けデッキ本体１０５と、その下面に垂直に固定されたスタッドボルト１０６とを具備している。
【０００３】
欄干柱１０４にはスタッドボルト１０６を径方向に移動自在に貫通させる楕円状の貫通孔１０７（図５参照）又は切欠が形成され、この貫通孔１０７又は切欠から下方に突出したスタッドボルト１０６にナット１０８を螺合することにより外装受けデッキ１０１が欄干柱１０４上に締結固定される。
【０００４】
【発明が解決しようとする課題】
しかしながら、上記従来技術では、ナット１０８を強く締めると、図５に示すように、外装受けデッキ本体１０５の一部が貫通孔１０７又は切欠に引き込まれて凹み、意匠性が損なわれるという問題点が有った。
【０００５】
外装受けデッキ１０１は常に乗客の目に触れる部分であり、また、表面にステンレスのヘアライン仕上げ等が施されているため、光を反射し易く、変形すると目立ち易い。したがって、外装受けデッキ１０１の歪み、曲がり等の変形が意匠性を大きく低下させることになる。
【０００６】
その為、貫通孔１０７や切欠を極力小さくして外装受けデッキ１０１の締結固定時の変形を最小限に抑える必要があるが、外装受けデッキ１０１は建屋とマンコンベヤとの位置関係のずれを調整する部分でもあり、貫通孔１０７や切欠をできるだけ大きくして調整範囲を広くすることが望まれている。
【０００７】
この理由により、従来は外装受けデッキ１０１の固定部分が局部的に変形してしまうのが避けられず、締結時のトルクを調整する等の処置が必要であり、品質的にばらつきが生じていた。
【０００８】
本発明は上記事情に鑑みてなされたものであり、その目的は、スタッドボルトを介して剛体上に締結固定されるマンコンベヤの外装受けデッキにあって、締結固定時の変形を抑制することにある。
【０００９】
【課題を解決するための手段】
上記目的を達成するために、第１の発明に係るマンコンベヤの外装受けデッキは、
マンコンベヤの欄干パネルと建屋の壁との間において固定された剛体の上方にマンコンベヤの進行方向に連続するように配置される外装受けデッキ本体と、
前記外装受けデッキ本体の下面に固定され、前記剛体に設けられた貫通孔又は切欠を貫通するスタッドボルトと、
前記外装受けデッキ本体と前記剛体との間に介在し、前記スタッドボルトを貫通させる貫通孔又は切欠を有すると共に該貫通孔又は該切欠の周縁が前記剛体の貫通孔又は切欠の周縁よりも内側に位置するように形成された板状の凹み防止部材と、
を具備することを特徴としている。
【００１０】
また、第２の発明に係るマンコンベヤの外装受けデッキは、
マンコンベヤの欄干パネルと建屋の壁との間において固定された剛体の上方にマンコンベヤの進行方向に連続するように配置される外装受けデッキ本体と、
前記外装受けデッキ本体と前記剛体との間に介在し、前記剛体に設けられた貫通孔又は切欠を貫通するスタッドボルトが下面に固定されると共に前記貫通孔又は前記切欠を覆う板状の凹み防止部材と、
を具備することを特徴としている。
【００１１】
【発明の実施の形態】
以下、本発明の一実施形態を図面と共に詳述する。図１は本発明の第１の実施形態である外装受けデッキを備えたエスカレータの要部断面図、図２は図１の要部分解斜視図である。
【００１２】
図１において、１は外装板を受ける外装受けデッキ、２は欄干パネル、３は建屋の壁、４は欄干柱（剛体）、５は移動手摺、６はデッキボードである。
【００１３】
外装受けデッキ１は、板状の外装受けデッキ本体７と、その下面に垂直に固定されたスタッドボルト８と、外装受けデッキ本体７と欄干柱４との間に介在するワッシャ状の凹み防止部材９とを具備している。
【００１４】
外装受けデッキ本体７はステンレス等により形成され、表面にはヘアライン仕上げ等の意匠性を向上する加工が施されており、欄干パネル２と建屋の壁３との間において固定された欄干柱４の上方にエスカレータの進行方向に連続するように配置される。
【００１５】
スタッドボルト８は溶接等により外装受けデッキ本体７に固定され、欄干柱４に形成された楕円状の貫通孔１０（図２参照）を径方向に移動自在に貫通する。この貫通孔１０の幅は、スタッドボルト８の外径よりも１ｍｍ以上大きくなっている。
【００１６】
凹み防止部材９は金属や硬質プラスチック等の剛性の高い材料により形成された板状のもので、その厚みは外装受けデッキ本体７の厚みの二倍以上となっている。凹み防止部材９の中心に設けられた貫通孔９ａ（図２参照）の直径はスタッドボルト８の外径よりも０．５〜１．０ｍｍ程度大きく、かつ欄干柱４の貫通孔１０の幅よりも小さくなっている。
【００１７】
この凹み防止部材９は、外装受けデッキ本体７を欄干柱４上に載置する前に、貫通孔９ａをスタッドボルト８に貫通させると共に上面を外装受けデッキ本体７の裏面に当接させた状態で、あらかじめ接着固定しておく。または、貫通孔９ａをスタッドボルト８に螺合するように形成し、上面が外装受けデッキ７の下面に接するようにスタッドボルト８に締結固定しておく。なお、後者の場合には、接着剤を塗布する工程や、それを乾燥させる工程が不要となるため、生産性が向上するという利点が有る。
【００１８】
このように構成された外装受けデッキ１は、スタッドボルト８を欄干柱４の貫通孔１０に貫通させ、貫通孔１０の下方に突出したスタッドボルト８にナット１１を螺合して欄干柱４上に締結固定する。
【００１９】
凹み防止部材９の貫通孔９ａの直径は欄干柱４の貫通孔１０の幅よりも小さく、貫通孔９ａの周縁は全周にわたって貫通孔１０の周縁よりも内側に位置した状態となっており、ナット１１を従来と同程度の力で締め付けても外装受けデッキ本体７が貫通孔９ａ内に引き込まれて凹むことがない。したがって、外装受けデッキ１の外観が損なわれることがない。
【００２０】
次に、本発明の第２の実施形態を説明する。図３は本発明の第２の実施形態の要部の分解斜視図である。なお、本実施形態において、第１の実施形態と同一又は類似の部分には同一の符号を用いており、同一の部分については説明を省略してある。
【００２１】
本実施形態では、凹み防止部材９が細長い矩形板状に形成され、その下面にスタッドボルト８が垂直に固定される。そして、この凹み防止部材９があらかじめ外装受けデッキ本体７の下面に固定される。このようにして形成された外装受けデッキ１は、スタッドボルト８を貫通孔１０に貫通させ、貫通孔１０の下方に突出したスタッドボルト８にナット（図示せず）を螺合することにより欄干柱４上に固定される。
【００２２】
このような構成によれば、凹み防止部材９が貫通孔１０の上面全面を覆うため、ナット８を強く締めても外装受けデッキ本体７が貫通孔１０内に引き込まれて凹むことがない。
【００２３】
なお、上記実施形態では、剛体（欄干柱）と凹み防止部材にそれぞれスタッドボルトを貫通させる貫通孔を設けた場合について説明したが、これに代えて、剛体と凹み防止部材の両方、あるいはいずれか一方にスタッドボルトを貫通させる切欠を設けるようにしてもよい。
【００２４】
また、本発明はエスカレータ以外のマンコンベヤにも適用可能である。
【００２５】
【発明の効果】
以上のように、本発明の外装受けデッキは、剛体上に締結固定する際に表面が凹むのを抑制することができるため、外観が損なわれることがないと共に品質のばらつきを抑制することができる。
【図面の簡単な説明】
【図１】本発明の第１の実施形態である外装受けデッキを備えたエスカレータの要部断面図。
【図２】図１の要部分解斜視図。
【図３】本発明の第２の実施形態である外装受けデッキを備えたエスカレータの要部分解斜視図。
【図４】従来の外装受けデッキを備えたエスカレータの要部断面図。
【図５】図４の要部断面図。
【符号の説明】
１  外装受けデッキ
２  欄干パネル
３  建屋の壁
４  欄干柱（剛体）
７  外装受けデッキ本体
８  スタッドボルト
９  凹み防止部材
【図１】
2004352385.tif 000003
【図２】
2004352385.tif 000004
【図３】
2004352385.tif 000005
【図４】
2004352385.tif 000006
【図５】
2004352385.tif 000007